(57)【要約】【課題】暖房運転時に小さい暖房能力が要求された場合に、適切に利用側膨張弁の開度調整を行って所望の暖房能力を実現できる空気調和装置を提供する。【解決手段】空気調和装置１が暖房運転を行っているとき、外気処理機５ｂのＣＰＵ５１０ｂは、算出した温度差ΔＴが−１℃以上１℃以下であるか否かを判断する。温度差ΔＴが−１℃以上１℃以下である状態が３回以上連続すれば、ＣＰＵ５１０ｂは第２膨張弁制御を実行し、膨張弁パルステーブル３００を参照して目標吹出温度Ｔｔに応じたパルス数Ｐを外気処理機膨張弁５２ｂに加える。一方、温度差ΔＴが−１℃以上１℃以下でなければ、ＣＰＵ５１０ｂは、凝縮温度Ｔｃと熱交出口温度Ｔｈｏとを用いて冷媒過冷却度を算出して第１膨張弁制御を実行し、算出した冷媒過冷却度と目標冷媒過冷却度との過冷却度差に応じたパルス数Ｐを、外気処理機膨張弁５２ｂに加える。【選択図】図３
2019168117.tif 000002
【特許請求の範囲】
【請求項１】
圧縮機を有する熱源側ユニットと、
利用側熱交換器と、利用側膨張弁とを有する複数台の利用側ユニットと、
前記圧縮機や前記利用側膨張弁を制御する制御手段と、
を有する空気調和装置であって、
前記利用側ユニットは、同利用側ユニットに吸入される空気の温度である吸込温度を検出する吸込温度検出手段と、前記利用側熱交換器で冷媒と熱交換を行って前記利用側ユニットから吹き出される空気の温度である吹出温度を検出する吹出温度検出手段のうち少なくともいずれか一方を有するとともに、前記利用側熱交換器が凝縮器として機能するときに同利用側熱交換器から流出する冷媒の温度である熱交出口温度を検出する熱交出口温度検出手段を有し、
前記制御手段は、
前記各前利用側熱交換器が凝縮器として機能するとき、
前記熱交出口温度検出手段で検出した前記熱交出口温度と前記吸込温度検出手段で検出した吸込温度との温度差が所定範囲より大きければ、前記利用側熱交換器における冷媒過冷却度が、前記利用側ユニットで要求される暖房能力に応じた目標冷媒過冷却度となるように、前記利用側膨張弁の開度を調整する第１膨張弁制御を行い、
前記温度差が所定値以内である状態が一定時間継続している場合は、前記利用側膨張弁の開度を、前記利用側ユニットで設定される暖房運転の目標温度に基づいて決定される開度となるように調整する第２膨張弁制御を実行する、
ことを特徴とする空気調和装置。
【発明の詳細な説明】
【技術分野】
【０００１】
本発明は、空気調和装置に関わり、特に利用側ユニットで要求される空調能力が小さい場合の利用側膨張弁の開度調整に関する。
【背景技術】
【０００２】
従来、１台の熱源側ユニットに複数台の利用側ユニットが冷媒配管で接続され、全ての利用側ユニットで同時に冷房運転あるいは暖房運転を行う空気調和装置では、各利用側ユニットで要求される冷房能力あるいは暖房能力といった空調能力に基づいて、圧縮機の回転数が決定される。例えば、特許文献１に記載されているのは、熱源側ユニットが室外機であり、複数台の利用側ユニットが室内機である空気調和装置であって、冷房運転時は、蒸発器として機能する各室内機の利用側室内熱交換器である室内熱交換器における蒸発温度が、各室内機で要求される冷房能力のうちのもっとも大きい能力である最大冷房能力を満足するために必要な蒸発温度である目標蒸発温度となるように、圧縮機の回転数が制御される。また、暖房運転時では、凝縮器として機能する各室内機の室内熱交換器における凝縮温度が、各室内機で要求される暖房能力のうちのもっとも大きい能力である最大暖房能力を満足するために必要な凝縮温度である目標凝縮温度となるように、圧縮機の回転数が制御される。
【０００３】
一方、空気調和装置の各室内機では、冷房運転時では、蒸発器として機能している室内熱交換器の冷媒出口側の冷媒過熱度が、各室内機で要求される冷房能力を満足するために必要な冷媒加熱度である目標冷媒過熱度となるように、利用側膨張弁である室内機膨張弁の開度が調整される。ここで、冷媒過熱度は、蒸発温度から室内熱交換器が蒸発器として機能しているときの冷媒出口側の冷媒温度を減じることで求められる。また、目標冷媒過熱度は、各室内機で要求される冷房能力が大きいほど小さい値とされる。従って、要求される冷房能力が大きいときは、冷媒過熱度を小さな目標冷媒過熱度とするために室内機膨張弁の開度が大きくされるので、室内機に流入する冷媒量が増加する。一方、要求される冷房能力が小さいときは、冷媒過熱度を大きな目標冷媒過熱度とするために室内機膨張弁の開度が小さくされるので、室内機に流入する冷媒量が減少する。
【０００４】
また、暖房運転時では、凝縮器として機能している室内熱交換器の冷媒出口側の冷媒過冷却度が、各室内機で用求される冷房能力を満足するために必要な冷媒過冷却度である目標冷媒過冷却度となるように、室内機膨張弁の開度が調整される。ここで、冷媒過冷却度は、凝縮温度から室内熱交換器が凝縮器として機能しているときの冷媒出口側の冷媒温度を減じることで求められる。また、目標冷媒過冷却度は、各室内機で要求される暖房能力が大きいほど小さい値とされる。従って、要求される暖房能力が大きいときは、冷媒過冷却度を小さな目標冷媒過冷却度とするために室内機膨張弁の開度が大きくされるので、室内機に流入する冷媒量が増加する。一方、要求される暖房能力が小さいときは、冷媒過冷却度を大きな目標冷媒過冷却度とするために室内機膨張弁の開度が小さくされるので、室内機に流入する冷媒量が減少する。
【先行技術文献】
【特許文献】
【０００５】
【特許文献１】特開平２−５７８７５号公報
【発明の概要】
【発明が解決しようとする課題】
【０００６】
上述したように、空気調和装置が暖房運転を行っているときに、利用側ユニットで要求する暖房能力が小さくなると目標冷媒過冷却度が大きくされ、当該利用側ユニットの利用側熱交換器の冷媒出口側における冷媒過冷却度が上述した目標冷媒過冷却度となるように、利用側膨張弁の開度が小さくされていく。このとき、利用側膨張弁の開度が小さいことに起因して、利用側熱交換器で空気と熱交換を行って凝縮した液冷媒が、利用側膨張弁から利用側熱交換器にかけて滞留することがある。
【０００７】
特に、利用側ユニットが、取り込んだ外気と冷媒とを熱交換させて所望の吹出温度を実現する外気処理機である場合は、室内空気と冷媒とを熱交換させて室内機に吹き出す通常の室内機と比べて吹出温度が低く、例えば、吹出温度が室内温度と同程度の温度とされる。そして、この低い吹出温度を実現するために目標冷媒過冷却度が大きくされ、外気処理機の利用側熱交換器の冷媒出口側における冷媒過冷却度を上記の大きな目標冷媒過冷却度とするために、利用側膨張弁の開度を小さくされる。このため、外気処理機では、利用側膨張弁から利用側熱交換器にかけて液冷媒が滞留しやすい。
【０００８】
利用側膨張弁から利用側熱交換器にかけての液冷媒の滞留が一定時間継続すれば、利用側熱交換器の冷媒出口側における冷媒温度が、利用側熱交換器の周囲温度になじんで変化しなくなる場合がある。前述したように、利用側熱交換器が凝縮器として機能しているときの利用側熱交換器の冷媒出口側における冷媒過冷却度は、凝縮温度から利用側熱交換器の冷媒出口側における冷媒温度を減じて求められる。また、空気調和装置が暖房運転を行う場合は、凝縮器として機能しているときの利用側熱交換器における凝縮温度が、各室内機で要求される暖房能力を満足するために必要な温度である目標凝縮温度となるように、圧縮機の回転数が制御される。このため、圧縮機の回転数が変更されない限り凝縮温度は一定の値となる。従って、利用側熱交換器における液冷媒の滞留が一定時間継続しており、かつ、圧縮機の回転数が変更されていない場合は、利用側熱交換器の冷媒出口側における冷媒温度も凝縮温度も変化しないため、算出する冷媒過冷却度も変化しなくなる。
【０００９】
以上説明したように、利用側熱交換器に液冷媒が滞留することに起因して冷媒過冷却度が変化しなくなれば、算出した冷媒過冷却度と目標冷媒過冷却度との差である過冷却度差も毎回同じ値となってしまう。このため、過冷却度差に応じた利用側膨張弁の開度調整ができなくなり、要求される小さい暖房能力が実現できないという問題があった。
【００１０】
本発明は以上述べた問題点を解決するものであって、暖房運転時に小さい暖房能力が要求された場合に、適切に利用側膨張弁の開度調整を行って所望の暖房能力を実現できる空気調和装置を提供することを目的とする。
【課題を解決するための手段】
【００１１】
上記の課題を解決するために、本発明の空気調和装置は、圧縮機を有する熱源側ユニットと、利用側熱交換器と利用側膨張弁とを有する複数台の利用側ユニットと、圧縮機や利用側膨張弁を制御する制御手段とを有する。利用側ユニットは、この利用側ユニットに吸入される空気の温度である吸込温度を検出する吸込温度検出手段と、利用側熱交換器で冷媒と熱交換を行って利用側ユニットから吹き出される空気の温度である吹出温度を検出する吹出温度検出手段のうち少なくともいずれか一方を有するとともに、利用側熱交換器が凝縮器として機能するときに利用側熱交換器から流出する冷媒の温度である熱交出口温度を検出する熱交出口温度検出手段を有する。そして、制御手段は、各前利用側熱交換器が凝縮器として機能するとき、熱交出口温度検出手段で検出した熱交出口温度と吸込温度検出手段で検出した吸込温度との温度差が所定範囲より大きければ、利用側熱交換器における冷媒過冷却度が、利用側ユニットで要求される暖房能力に応じた目標冷媒過冷却度となるように、利用側膨張弁の開度を調整する第１膨張弁制御を行い、上記温度差が所定値以内である状態が一定時間継続している場合は、利用側膨張弁の開度を、利用側ユニットで設定される暖房運転の目標温度に基づいて決定される開度となるように調整する第２膨張弁制御を実行する。
【発明の効果】
【００１２】
上記のように構成した本発明の空気調和装置は、暖房運転時に凝縮器として機能する利用側熱交換器の冷媒出口側における冷媒温度である熱交出口温度と吸込温度検出手段で検出した吸込温度との温度差が所定範囲より大きければ、利用側膨張弁の開度調整を、利用側熱交換器の冷媒出口側における冷媒過冷却度を目標冷媒過冷却度とする第１膨張弁制御を行う。また、上記温度差が所定値以内である状態が一定時間継続していれば、目標温度基づいて決定される開度とする第２膨張弁制御を行う。これにより、適切に利用側膨張弁の開度調整を行って所望の暖房能力を実現できる。
【図面の簡単な説明】
【００１３】
【図１】本発明の実施形態における空気調和装置の説明図であり、（Ａ）は冷媒回路図、（Ｂ）は室外機制御手段、室内機制御手段、および、外気処理機制御手段の各ブロック図である。
【図２】本発明の実施形態における、膨張弁パルステーブルである。
【図３】本発明の実施形態における、外気処理機で実行される制御のフローチャートである。
【発明を実施するための形態】
【００１４】
以下、本発明の実施の形態を、添付図面に基づいて詳細に説明する。実施形態としては、１台の室外機に９台の室内機と１台の外気処理機とが並列に接続され、全ての室内機および外気処理機で同時に冷房運転あるいは暖房運転が行える空気調和装置を例に挙げて説明する。尚、本発明は以下の実施形態に限定されることはなく、本発明の主旨を逸脱しない範囲で種々変形することが可能である。また、室外機が本発明の熱源側ユニットであり、９台の室内機および外気処理機が本発明の利用側ユニットである。
【実施例】
【００１５】
図１（Ａ）に示すように、本実施形態における空気調和装置１は、１台の室外機２と、室外機２に液管８およびガス管９で並列に接続された９台の室内機５ａ（図１（Ａ）では、これらのうちの２台のみを描画している）および１台の外気処理機５ｂとを備えている。より詳細には、室外機２の閉鎖弁２５と各室内機５ａの液管接続部５３ａおよび外気処理機５ｂの液管接続部５３ｂとが液管８で接続されている。また、室外機２の閉鎖弁２６と各室内機５ａのガス管接続部５４ａおよび外気処理機５ｂのガス管接続部５４ｂとがガス管９で接続されている。このように、室外機２と９台の室内機５ａおよび１台の外気処理機５ｂとが液管８およびガス管９で接続されて、空気調和装置１の冷媒回路１０が形成されている。
【００１６】
＜室外機の構成＞
まずは、室外機２について説明する。室外機２は、圧縮機２１と、四方弁２２と、室外熱交換器２３と、室外機膨張弁２４と、液管８が接続された閉鎖弁２５と、ガス管９が接続された閉鎖弁２６と、アキュムレータ２７と、室外機ファン２８と、室外機制御手段２００とを備えている。そして、室外機ファン２８と室外機制御手段２００とを除くこれら各装置が、以下で詳述する各冷媒配管で相互に接続されて冷媒回路１０の一部をなす室外機冷媒回路２０を形成している。
【００１７】
圧縮機２１は、インバータにより回転数が制御される図示しないモータによって駆動されることで、運転容量を可変できる高圧容器型の能力可変型圧縮機である。圧縮機２１の冷媒吐出側は、後述する四方弁２２のポートａと吐出管４１で接続されており、また、圧縮機２１の冷媒吸入側は、アキュムレータ２７の冷媒流出側と吸入管４２で接続されている。
【００１８】
四方弁２２は、冷媒回路１０における冷媒の流れる方向を切り換えるための弁であり、ａ、ｂ、ｃ、ｄの４つのポートを備えている。ポートａは、上述したように圧縮機２１の冷媒吐出側と吐出管４１で接続されている。ポートｂは、室外熱交換器２３の一方の冷媒出入口と冷媒配管４３で接続されている。ポートｃは、アキュムレータ２７の冷媒流入側と冷媒配管４６で接続されている。そして、ポートｄは、閉鎖弁２６と室外機ガス管４５で接続されている。
【００１９】
室外熱交換器２３は、後述する室外機ファン２８の回転により室外機２の内部に取り込まれた外気と冷媒とを熱交換させるものである。上述したように、室外熱交換器２３の一方の冷媒出入口と四方弁２２のポートｂとが冷媒配管４３で接続されている。また、室外熱交換器２３の他方の冷媒出入口と閉鎖弁２５とが室外機液管４４で接続されている。室外熱交換器２３は、空気調和装置１が冷房運転を行う場合は凝縮器として機能し、空気調和装置１が暖房運転を行う場合は蒸発器として機能する。
【００２０】
室外機膨張弁２４は、室外機液管４４に設けられている。室外機膨張弁２４は図示しないパルスモータにより駆動される電子膨張弁であり、パルスモータに与えられるパルス数によって開度が調整されることで、室外熱交換器２３に流入する冷媒量、あるいは、室外熱交換器２３から流出する冷媒量が調整される。室外機膨張弁２４の開度は、空気調和装置１が暖房運転を行っている場合は、後述する吐出温度センサ３３で検出した圧縮機２１の吐出温度に応じてその開度が調整され、冷房運転を行っている場合はその開度が全開とされる。
【００２１】
アキュムレータ２７は、前述したように、冷媒流入側が四方弁２２のポートｃと冷媒配管４６で接続されるとともに、冷媒流出側が圧縮機２１の冷媒吸入側と吸入管４２で接続されている。アキュムレータ２７は、冷媒配管４６からアキュムレータ２８の内部に流入した冷媒をガス冷媒と液冷媒に分離してガス冷媒のみを圧縮機２１に吸入させる。
【００２２】
室外機ファン２８は樹脂材で形成されており、室外熱交換器２３の近傍に配置されている。室外機ファン２８は、図示しないファンモータによって回転することで、図示しない吸込口から室外機２の内部へ外気を取り込み、室外熱交換器２３において冷媒と熱交換した外気を図示しない吹出口から室外機２の外部へ放出する。
【００２３】
以上説明した構成の他に、室外機２には各種のセンサが設けられている。図１に示すように、吐出管４１には、圧縮機２１から吐出される冷媒の圧力である吐出圧力を検出する吐出圧力センサ３１と、圧縮機２１から吐出される冷媒の温度を検出する吐出温度センサ３３が設けられている。冷媒配管４６におけるアキュムレータ２８の冷媒流入口近傍には、圧縮機２１に吸入される冷媒の圧力である吸入圧力を検出する吸入圧力センサ３２と、圧縮機２１に吸入される冷媒の温度を検出する吸込温度センサ３４とが設けられている。尚、吐出圧力センサ３１が本発明の吐出圧力検出手段である。
【００２４】
室外機液管４４における室外熱交換器２３と室外機膨張弁２４との間には、室外熱交換器２３に流入する冷媒の温度、あるいは、室外熱交換器２３から流出する冷媒の温度を検出するための熱交温度センサ３５が設けられている。そして、室外機２の図示しない吸込口付近には、室外機２の内部に流入する外気の温度、すなわち外気温度を検出する外気温度センサ３６が備えられている。
【００２５】
また、室外機２には、室外機制御手段２００が備えられている。室外機制御手段２００は、室外機２の図示しない電装品箱に格納された制御基板に搭載されており、図１（Ｂ）に示すように、ＣＰＵ２１０と、記憶部２２０と、通信部２３０と、センサ入力部２４０とを備えている。
【００２６】
記憶部２２０は、例えばフラッシュメモリであり、室外機２の制御プログラムや各種センサからの検出信号に対応した検出値、圧縮機２１や室外機ファン２８の駆動状態、室外機膨張弁２４に与えるパルス数、各室内機５ａから送信される運転情報（運転／停止情報、冷房／暖房等の運転モード、後述する冷房要求能力や暖房要求能力など）などを記憶する。通信部２３０は、各室内機５ａや外気処理機５ｂとの通信を行うインターフェイスである。センサ入力部２４０は、室外機２の各種センサでの検出結果を取り込んでＣＰＵ２１０に出力する。
【００２７】
ＣＰＵ２１０は、センサ入力部２４０を介して各種センサでの検出値を定期的（例えば、３０秒毎）に取り込むとともに、各室内機５ａから送信される運転情報を含む信号を通信部２３０を介して取り込む。ＣＰＵ２１０は、これら入力された各種情報に基づいて、室外機膨張弁２４の開度調整、圧縮機２１や室外機ファン２８の駆動制御、四方弁２２の切り換え制御などを行う。
【００２８】
＜室内機の構成＞
次に、９台の室内機５ａについて説明する。９台の室内機５ａは全て同じ構成を有しており、室内熱交換器５１ａと、室内機膨張弁５２ａと、液管接続部５３ａと、ガス管接続部５４ａと、室内機ファン５５ａと室内機制御手段５００ａとを備えている。そして、室内機ファン５５ａおよび室内機制御手段５００ａを除くこれら各構成装置が以下で詳述する各冷媒配管で相互に接続されて、冷媒回路１０の一部をなす室内機冷媒回路５０ａを構成している。尚、室内熱交換器５１ａが本発明の利用側熱交換器であり、室内機膨張弁５２ａが本発明の利用側膨張弁である。
【００２９】
室内熱交換器５１ａは、後述する室内機ファン５５ａの回転により図示しない吸込口から室内機５ａの内部に取り込まれた室内空気と冷媒とを熱交換させるものである。室内熱交換器５１ａの一方の冷媒出入口と液管接続部５３ａとが室内機液管７１ａで接続され、他方の冷媒出入口とガス管接続部５４ａとが室内機ガス管７２ａで接続されている。室内熱交換器５１ａは、空気調和装置１が冷房運転を行う場合は蒸発器として機能し、空気調和装置１が暖房運転を行う場合は凝縮器として機能する。尚、液管接続部５３ａやガス管接続部５４ａは、各冷媒配管が溶接やフレアナット等により接続されている。
【００３０】
室内機膨張弁５２ａは、室内機液管７１ａに設けられている。室内機膨張弁５２ａは図示しないパルスモータにより駆動される電子膨張弁であり、パルスモータに与えられるパルス数によって開度が調整されることで、室内熱交換器５１ａに流入する冷媒量、あるいは、室内熱交換器５１ａから流出する冷媒量が調整される。具体的には、室内機膨張弁５２ａは、室内熱交換器５１ａが蒸発器として機能する場合すなわち室内機５ａが冷房運転を行う場合は、その開度は、室内熱交換器５１ａの冷媒出口（ガス管接続部５４ａ側）での冷媒過熱度が目標冷媒過熱度となるように調整される。また、室内機膨張弁５２ａは、室内熱交換器５１ａが凝縮器として機能する場合すなわち室内機５ａが暖房運転を行う場合は、その開度は、室内熱交換器５１ａの冷媒出口（液管接続部５３ａ側）での冷媒過冷却度が目標冷媒過冷却度となるように調整される。ここで、目標冷媒過熱度や目標冷媒過冷却度とは、室内機５ａで要求される冷房能力あるいは暖房能力を発揮するのに必要な冷媒過熱度および冷媒過冷却度である。
【００３１】
室内機ファン５５ａは樹脂材で形成されており、室内熱交換器５１ａの近傍に配置されている。室内機ファン５５ａは、図示しないファンモータによって回転することで、図示しない吸込口から室内機５ａの内部に室内空気を取り込み、室内熱交換器５１ａにおいて冷媒と熱交換した室内空気を図示しない吹出口から室内へ放出する。
【００３２】
以上説明した構成の他に、室内機５ａには各種のセンサが設けられている。室内機液管７１ａにおける室内熱交換器５１ａと室内機膨張弁５２ａとの間には、室内熱交換器５１ａに流入あるいは室内熱交換器５１ａから流出する冷媒の温度を検出する液側温度センサ６１ａが設けられている。室内機ガス管７２ａには、室内熱交換器５１ａから流出あるいは室内熱交換器５１ａに流入する冷媒の温度を検出するガス側温度センサ６２ａが設けられている。室内機５ａの図示しない吸込口付近には、室内機５ａの内部に流入する室内空気の温度、すなわち吸込温度を検出する吸込温度センサ６３ａが備えられている。尚、液側温度センサ６１ａが本発明の熱交出口温度検出手段である。また、吸込温度センサ６３ａが本発明の吸込温度検出手段である。
【００３３】
また、室内機５ａには、室内機制御手段５００ａが備えられている。室内機制御手段５００ａは、室内機５ａの図示しない電装品箱に格納された制御基板に搭載されており、図１（Ｂ）に示すように、ＣＰＵ５１０ａと、記憶部５２０ａと、通信部５３０ａと、センサ入力部５４０ａとを備えている。
【００３４】
記憶部５２０ａは、例えばフラッシュメモリであり、室内機５ａの制御プログラムや各種センサからの検出信号に対応した検出値、使用者により設定される運転情報などを記憶する。通信部５３０ａは、室外機２との通信を行うインターフェイスである。センサ入力部５４０ａは、室内機５ａの各種センサでの検出結果を取り込んでＣＰＵ５１０ａに出力する。
【００３５】
ＣＰＵ５１０ａは、前述した室内機５ａの各センサでの検出結果をセンサ入力部５４０ａを介して取り込む。また、ＣＰＵ５１０ａは、使用者が図示しないリモコンを操作して設定した運転情報やタイマー運転設定等を含んだ信号を図示しないリモコン受光部を介して取り込む。また、ＣＰＵ５１０ａは、運転開始／停止信号や運転情報（設定温度や室内温度等）を含んだ制御信号を、通信部５３０ａを介して室外機２に送信するとともに、室外機２が検出した吐出圧力等の情報を含む制御信号を通信部５３０ａを介して室外機２から受信する。ＣＰＵ５１０ａは、取り込んだ検出結果やリモコンおよび室外機２から送信された信号に基づいて、室内機膨張弁５２ａの開度調整や、室内機ファン５５ａの駆動制御を行う。
【００３６】
＜外気処理機の構成＞
次に、外気処理機５ｂについて説明する。後述する外気処理熱交換器５１ｂにおいて冷媒と取り込んだ外気とを熱交換をさせて部屋に吹き出すものであり、外気を部屋に取り込んで部屋の換気を行いつつ、取り込んだ外気によって使用者が不快に感じないように、冷媒と熱交換を行って外気処理機５ｂから吹き出される外気の温度である吹出温度を、使用者が定める目標吹出温度（通常、室内温度付近の温度とされる）となるように制御されるものである
【００３７】
外気処理機５ｂは、外気処理熱交換器５１ｂと、外気処理機膨張弁５２ｂと、液管接続部５３ｂと、ガス管接続部５４ｂと、外気処理機ファン５５ｂと外気処理機制御手段５００ｂとを備えている。そして、外気処理機ファン５５ｂおよび外気処理機制御手段５００ｂを除くこれら各構成装置が以下で詳述する各冷媒配管で相互に接続されて、冷媒回路１０の一部をなす外気処理機冷媒回路５０ｂを構成している。尚、外気処理熱交換器５１ｂが本発明の利用側熱交換器であり、外気処理機膨張弁５２ｂが本発明の利用側膨張弁である。
【００３８】
外気処理熱交換器５１ｂは、外気処理機ファン５５ｂの回転により図示しない吸込口から外気処理機５ｂの内部に取り込まれた外気と冷媒とを熱交換させるものである。外気処理熱交換器５１ｂの一方の冷媒出入口と液管接続部５３ｂとが外気処理機液管７１ｂで接続され、他方の冷媒出入口とガス管接続部５４ｂとが外気処理機ガス管７２ｂで接続されている。外気処理熱交換器５１ｂは、空気調和装置１が冷房運転を行う場合は蒸発器として機能し、空気調和装置１が暖房運転を行う場合は凝縮器として機能する。尚、液管接続部５３ｂやガス管接続部５４ｂは、各冷媒配管が溶接やフレアナット等により接続されている。
【００３９】
外気処理機膨張弁５２ｂは、外気処理機液管７１ｂに設けられている。外気処理機膨張弁５２ｂは図示しないパルスモータにより駆動される電子膨張弁であり、パルスモータに与えられるパルス数によって開度が調整されることで、外気処理熱交換器５１ｂに流入する冷媒量、あるいは、外気処理熱交換器５１ｂから流出する冷媒量が調整される。具体的には、外気処理機膨張弁５２ｂは、外気処理熱交換器５１ｂが蒸発器として機能する場合すなわち外気処理機５ｂが冷房運転を行う場合は、その開度は、外気処理熱交換器５１ｂの冷媒出口（ガス管接続部５４ｂ側）での冷媒過熱度が目標冷媒過熱度となるように調整される。また、外気処理機膨張弁５２ｂは、外気処理熱交換器５１ｂが凝縮器として機能する場合すなわち外気処理機５ｂが暖房運転を行う場合は、その開度は、外気処理熱交換器５１ｂの冷媒出口（液管接続部５３ｂ側）での冷媒過冷却度が目標冷媒過冷却度となるように調整される。ここで、目標冷媒過熱度や目標冷媒過冷却度とは、外気処理機５ｂで要求される冷房能力あるいは暖房能力を発揮するのに必要な冷媒過熱度および冷媒過冷却度である。
【００４０】
外気処理機ファン５５ｂは樹脂材で形成されており、外気処理熱交換器５１ｂの近傍に配置されている。外気処理機ファン５５ｂは、図示しないファンモータによって回転することで、図示しない吸込口から外気処理機５ｂの内部に外気を取り込み、外気処理熱交換器５１ｂにおいて冷媒と熱交換した外気を図示しない吹出口から室内へ放出する。
【００４１】
以上説明した構成の他に、外気処理機５ｂには各種のセンサが設けられている。外気処理機液管７１ｂにおける外気処理熱交換器５１ｂと外気処理機膨張弁５２ｂとの間には、外気処理熱交換器５１ｂに流入あるいは外気処理熱交換器５１ｂから流出する冷媒の温度を検出する液側温度センサ６１ｂが設けられている。外気処理機ガス管７２ｂには、外気処理熱交換器５１ｂから流出あるいは外気処理熱交換器５１ｂに流入する冷媒の温度を検出するガス側温度センサ６２ｂが設けられている。外気処理機５ｂの図示しない吸込口付近には、外気処理機５ｂの内部に流入する外気の温度、すなわち外気処理機５ｂにおける吸込温度を検出する吸込温度センサ６３ｂが備えられている。外気処理機５ｂの図示しない吹出口付近には、外気処理熱交換器５１ｂで冷媒と熱交換を行って外気処理機５ｂから部屋に吹き出される外気の温度、すなわち外気処理機５ｂにおける吹出温度を検出する吹出温度センサ６４ｂが備えられている。尚、液側温度センサ６１ｂが本発明の熱交出口温度検出手段である。また、吸込温度センサ６３ｂが本発明の吸込温度検出手段であり、吹出温度センサ６４ｂが本発明の吹出温度検出手段である。
【００４２】
また、外気処理機５ｂには、外気処理機制御手段５００ｂが備えられている。外気処理機制御手段５００ｂは、外気処理機５ｂの図示しない電装品箱に格納された制御基板に搭載されており、図１（Ｂ）に示すように、ＣＰＵ５１０ｂと、記憶部５２０ｂと、通信部５３０ｂと、センサ入力部５４０ｂとを備えている。
【００４３】
記憶部５２０ｂは、例えばフラッシュメモリであり、外気処理機５ｂの制御プログラムや各種センサからの検出信号に対応した検出値、使用者により設定される運転情報などを記憶する。通信部５３０ｂは、室外機２との通信を行うインターフェイスである。センサ入力部５４０ｂは、外気処理機５ｂの各種センサでの検出結果を取り込んでＣＰＵ５１０ｂに出力する。
【００４４】
ＣＰＵ５１０ｂは、前述した外気処理機５ｂの各センサでの検出結果をセンサ入力部５４０ｂを介して取り込む。また、ＣＰＵ５１０ｂは、使用者が図示しないリモコンを操作して設定した運転情報やタイマー運転設定等を含んだ信号を図示しないリモコン受光部を介して取り込む。また、ＣＰＵ５１０ｂは、運転開始／停止信号や運転情報（設定温度や室内温度等）を含んだ制御信号を、通信部５３０ｂを介して室外機２に送信するとともに、室外機２が検出した吐出圧力等の情報を含む制御信号を通信部５３０ｂを介して室外機２から受信する。ＣＰＵ５１０ｂは、取り込んだ検出結果やリモコンおよび室外機２から送信された信号に基づいて、外気処理機膨張弁５２ｂの開度調整や、外気処理機ファン５５ｂの駆動制御を行う。
【００４５】
尚、以上説明した室外機２の室外機制御手段２００と、各室内機５ａの室内機制御手段５００ａと、外気処理機５ｂの外気処理機制御手段５００ｂとで、本発明の制御手段が形成される。
【００４６】
＜冷媒回路の動作＞
次に、本実施形態における空気調和装置１の空調運転時の冷媒回路１０における冷媒の流れや各部の動作について、図１（Ａ）を用いて説明する。尚、以下の説明ではまず、空気調和装置１が冷房運転を行う場合について説明する。次に、空気調和装置１が暖房運転を行う場合について説明する。尚、図１（Ａ）における実線矢印は、冷房運転時の冷媒の流れを示しており、また、図１（Ｂ）における破線矢印は、暖房運転時の冷媒の流れを示して
【００４７】
＜冷房運転＞
空気調和装置１が冷房運転を行う場合は、図１（Ａ）に示すように、四方弁２２が実線で示す状態、すなわち、四方弁２２のポートａとポートｂとが連通するように、また、ポートｃとポートｄとが連通するように切り換えられる。これにより、冷媒回路１０は、各室内熱交換器５１ａと外気処理熱交換器５１ｂとが蒸発器として機能するとともに、室外熱交換器２３が凝縮器として機能する冷房サイクルとなる。
【００４８】
上記のような冷媒回路１０の状態で圧縮機２１が駆動すると、圧縮機２１から吐出された冷媒は、吐出管４１を流れて四方弁２２に流入し、四方弁２２から冷媒配管４３を介して室外熱交換器２３へと流入する。室外熱交換器２３へと流入した冷媒は、室外機ファン２８の回転によって室外機２の内部に取り込まれた外気と熱交換を行って凝縮する。室外熱交換器２３から室外機液管４４へと流出した冷媒は、開度が全開とされている室外機膨張弁２４を通過し、閉鎖弁２５を介して液管８に流出する。
【００４９】
液管８を流れる冷媒は、液管接続部５３ａを介して各室内機５ａに、液管接続部５３ｂを介して外気処理機５１ｂに、それぞれ流入する。各室内機５ａに流入した冷媒は各室内機液管７１ａを流れ、室内熱交換器５１ａの各々の冷媒出口での冷媒過熱度が目標冷媒過熱度となるように開度が調整された各室内機膨張弁５２ａを通過する際に減圧される。また、外気処理機５１ｂに流入した冷媒は外気処理機液管７１ｂを流れ、外気処理熱交換器５１ｂの冷媒出口での冷媒過熱度が目標冷媒過熱度となるように開度が調整された外気処理機膨張弁５２ｂを通過する際に減圧される。
【００５０】
ここで、各室内機５ａでの冷媒過熱度は、室外機２の吸入圧力センサ３２で検出した吸入圧力を用いて算出された蒸発温を取り込み、取り込んだ蒸発温度から各室内機５ａのガス側温度センサ６２ａで検出した冷媒温度を減じて求めることができる。また、各室内機５ａの目標冷媒過熱度は、使用者が設定した設定温度と吸込温度センサ６３ａで検出した室内温度との温度差に基づいて決定される。また、外気処理機５ｂでの冷媒過熱度は、室外機２の吸入圧力センサ３２で検出した吸入圧力を用いて算出された蒸発温を取り込み、取り込んだ蒸発温度から外気処理機５ｂのガス側温度センサ６２ｂで検出した冷媒温度を減じて求めることができる。また、目標冷媒過熱度は、使用者が設定した目標吹出温度と吹出温度センサ６４ｂで検出した吹出温度との温度差に基づいて決定される。尚、上記設定温度や目標吹出温度が、本発明の目標温度である。また、吸入圧力センサ３２で検出した吸入圧力、ガス側温度センサ６２ａ、および、ガス側温度センサ６２ｂで検出した冷媒温度はそれぞれ定期的、例えば、３０秒毎に取り込まれ、冷媒過熱度はこれら各値を取り込む度に算出される。また、目標冷媒過熱度は、冷媒過熱度を算出する間隔よりも長い間隔、例えば、３分毎に、設定温度と吸込温度との温度差、あるいは、目標吹出温度と吹出温度との温度差に基づいて決定される。
【００５１】
各室内機液管７１ａから各室内熱交換器５１ａに流入した冷媒は、各室内機ファン５５ａの回転により各室内機５ａの内部に取り込まれた室内空気と熱交換を行って蒸発する。また、外気処理機液管７１ｂから外気処理熱交換器５１ｂに流入した冷媒は、外気処理機ファン５５ｂの回転により外気処理機５ｂの内部に取り込まれた外気と熱交換を行って蒸発する。このように、各室内熱交換器５１ａおよび外気処理熱交換器５１ｂがそれぞれ蒸発器として機能し、各室内熱交換器５１ａで冷媒と熱交換を行って冷却された室内空気、および、外気処理熱交換器５１ｂで冷媒と熱交換を行って冷却された外気が、それぞれの図示しない吹出口から室内に吹き出されることによって、９台の室内機５ａおよび外気処理機５ｂが設置された室内の冷房が行われる。
【００５２】
各室内熱交換器５１ａから各室内機ガス管７２ａに流出した冷媒は、各ガス管接続部５４ａを介してガス管９に流出する。また、外気処理熱交換器５１ｂから外気処理機ガス管７２ｂに流出した冷媒は、ガス管接続部５４ｂを介してガス管９に流出する。ガス管９で合流し閉鎖弁２６を介して室外機２に流入した冷媒は、室外機ガス管４５、四方弁２２、冷媒配管４６、アキュムレータ２７、吸入管４２の順に流れ、圧縮機２１に吸入されて再び圧縮される。
【００５３】
＜暖房運転＞
空気調和装置１が暖房運転を行う場合は、図１（Ａ）に示すように、四方弁２２が破線で示す状態、すなわち、四方弁２２のポートａとポートｄとが連通するように、また、ポートｂとポートｃとが連通するように切り換えられる。これにより、冷媒回路１０は、各室内熱交換器５１ａと外気処理熱交換器５１ｂとが凝縮器として機能するとともに、室外熱交換器２３が蒸発器として機能する暖房サイクルとなる。このような冷媒回路１０の状態で圧縮機２１が駆動すると、圧縮機２１から吐出された冷媒は、吐出管４１を流れて四方弁２２に流入し、四方弁２２から室外機液管４５へと流れて閉鎖弁２６を介してガス管９に流出する。
【００５４】
ガス管９を流れる冷媒は、ガス管接続部５４ａを介して各室内機５ａに、ガス管接続部５４ｂを介して外気処理機５１ｂに、それぞれ流入する。各室内機５ａに流入した冷媒は各室内機ガス管７２ａを流れて各室内熱交換器５１ａに流入し、各室内機ファン５５ａの回転により各室内機５ａの内部に取り込まれた室内空気と熱交換を行って凝縮する。また、外気処理機液管７１ｂに流入した冷媒は外気処理機ガス管７２ｂを流れて外気処理熱交換器５１ｂに流入し、外気処理機ファン５５ｂの回転により外気処理機５ｂの内部に取り込まれた外気と熱交換を行って凝縮する。このように、各室内熱交換器５１ａおよび外気処理熱交換器５１ｂがそれぞれ凝縮器として機能し、各室内熱交換器５１ａで冷媒と熱交換を行って加熱された室内空気、および、外気処理熱交換器５１ｂで冷媒と熱交換を行って加熱された外気が、それぞれの図示しない吹出口から室内に吹き出されることによって、９台の室内機５ａおよび外気処理機５ｂが設置された室内の暖房が行われる。
【００５５】
各室内熱交換器５１ａから室内機液管７１ａに流出した冷媒は、室内熱交換器５１ａの各々の冷媒出口での冷媒過冷却度が目標冷媒過冷却度となるように開度が調整された各室内機膨張弁５２ａを通過する際に減圧される。また、外気処理熱交換器５１ｂから外気処理機液管７１ｂに流出した冷媒は、外気処理熱交換器５１ｂの冷媒出口での冷媒過冷却度が目標冷媒過冷却度となるように開度が調整された外気処理機膨張弁５２ｂを通過する際に減圧される。
【００５６】
ここで、各室内機５ａでの冷媒過冷却度は、室外機２の吐出圧力センサ３１で検出した吐出圧力を用いて算出された凝縮温度を取り込み、取り込んだ凝縮温度から各室内機５ａの液側温度センサ６１ａで検出した冷媒温度を減じて求めることができる。また、各室内機５ａの目標冷媒過冷却度は、使用者が設定した設定温度と吸込温度センサ６３ａで検出した室内温度との温度差に基づいて決定される。また、外気処理機５ｂでの冷媒過冷却度は、室外機２の吐出圧力センサ３１で検出した吐出圧力を用いて算出された凝縮温度を取り込み、取り込んだ凝縮温度から外気処理機５ｂの液側温度センサ６１ｂで検出した冷媒温度を減じて求めることができる。また、外気処理機５ｂの目標冷媒過冷却度は、使用者が設定した目標吹出温度と吹出温度センサ６４ｂで検出した吹出温度との温度差に基づいて決定される。尚、上記設定温度や目標吹出温度が、本発明の目標温度である。また、吐出圧力センサ３１で検出した吐出圧力、液側温度センサ６１ａで検出した冷媒温度、および、液側温度センサ６１ｂで検出した冷媒温度はそれぞれ定期的（例えば、３０秒毎）に取り込まれ、冷媒過冷却度はこれら各値を取り込む度に算出される。また、目標冷媒過冷却度は、冷媒過冷却度を算出する間隔よりも長い間隔、例えば、３分毎に、設定温度と吸込温度との温度差、あるいは、目標吹出温度と吹出温度との温度差に基づいて決定される。
【００５７】
各室内機膨張弁５２ａで減圧された冷媒は各室内機液管７１ａを流れ、各液管接続部５３ａを介して液管９に流出する。また、外気処理機膨張弁５２ｂで減圧された冷媒は外気処理機液管７１ｂを流れ、液管接続部５３ｂを介して液管８に流出する。液管８で合流し閉鎖弁２５を介して室外機２に流入した冷媒は室外機液管４４を流れ、吐出温度センサ３３で検出した圧縮機２１の吐出温度に応じた開度とされた室外機膨張弁２４を通過する際に減圧される。
【００５８】
室外機膨張弁２４で減圧された冷媒は、室外機液管４４を流れて室外熱交換器２３に流入し、室外機ファン２８の回転によって室外機２の内部に取り込まれた外気と熱交換を行って蒸発する。室外熱交換器２３から冷媒配管４３に流出した冷媒は、四方弁２２、冷媒配管４６、アキュムレータ２７、吸入管４２の順に流れ、圧縮機２１に吸入されて再び圧縮される。
【００５９】
尚、以上説明した冷媒過熱度や冷媒過冷却度が、圧縮機２１の運転状態によって変化する運転状態量であり、目標冷媒過熱度や目標冷媒過冷却度が、本発明の目標運転状態量である。
【００６０】
＜外気処理機膨張弁の開度調整＞
前述したように、空気調和装置１が暖房運転を行うときは、各室内機５ａでは、要求される暖房能力に応じた目標冷媒過冷却度を実現できるように、室内機膨張弁５２ａの開度が調整される。また、外気処理機５ｂでは、要求される暖房能力に応じた目標冷媒過冷却度を実現できるように、外気処理機膨張弁５２ｂの開度が調整される。このとき、外気処理機５ｂで要求される暖房能力が小さい場合は、以下に記載する問題が発生する恐れがある。
【００６１】
外気処理機５ｂは、各室内機５ａと比べて吹出温度が低くされる、例えば、吹出温度を室内温度と同程度の温度とする場合がある。これは、外気処理機５ｂが室内の換気のため、かつ、室内温度より低い温度の外気をそのまま室内に供給することによる使用者の冷風感を抑制するために動作させるためである。このとき外気処理機５ｂでは、低い吹出温度を実現する、つまり、低い暖房能力を実現するために目標冷媒過冷却度が大きくされ、外気処理熱交換器５１ｂの冷媒出口側における冷媒過冷却度を大きな目標冷媒過冷却度とするために外気処理機膨張弁５２ｂの開度を小さくされる。このため、外気処理機５ｂで低い暖房能力を実現する場合は、外気処理機液管７１ｂにおける外気処理機膨張弁５２ｂと外気処理熱交換器５１ｂとの間および外気処理熱交換器５１ｂに、外気処理熱交換器５１ｂで凝縮した液冷媒が滞留しやすい。
【００６２】
上述した液冷媒の滞留が一定時間継続すれば、外気処理熱交換器５１ｂの冷媒出口側における冷媒温度である熱交出口温度が外気処理機５ｂに吸い込まれる外気温度になじんで、熱交出口温度と外気温度との温度差が小さくなる、つまり、熱交出口温度が変化しなくなる場合がある。外気処理熱交換器５１ｂが凝縮器として機能しているときの、外気処理熱交換器５１ｂの冷媒出口側における冷媒過冷却度は、凝縮温度から外気処理熱交換器５１ｂの冷媒出口温度を減じて求められる。一方、空気調和装置１が暖房運転を行う場合は、各室内機５ａや外気処理機５ｂで要求される暖房能力を満足するために必要な凝縮温度である目標凝縮温度となるように、圧縮機２１の回転数が制御されるため、要求される暖房能力が変化して圧縮機２１の回転数が変更されない限り、凝縮温度は一定の値となる。従って、外気処理熱交換器５１ｂに液冷媒が滞留することによって外気処理熱交換器５１ｂの熱交出口温度が変化しなくなったときに、要求される暖房能力が変化しないことによって圧縮機２１の回転数が変化せず凝縮温度も変化しない場合は、算出する冷媒過冷却度が変化しなくなる。
【００６３】
以上説明したように、外気処理熱交換器５１ｂに液冷媒が滞留することによって、外気処理熱交換器５１ｂの熱交出口温度を検出する度に算出する冷媒過冷却度が変化しなくなれば、算出した冷媒過冷却度と目標冷媒過冷却度との差である過冷却度差も変化しなくなる。このため、過冷却度差に応じた外気処理機膨張弁５２ｂの開度調整ができなくなり、要求される小さい暖房能力つまりは低い吹出温度が実現できないという問題があった。
【００６４】
そこで、本実施形態の空気調和装置１では、暖房運転時に、外気処理機５ｂにおいて要求される暖房能力を実現する目標冷媒過冷却度に基づいた外気処理機膨張弁５２ｂの開度調整が行えなくなった場合は、つまりは、外気処理熱交換器５１ｂの熱交出口温度が変化しなくなることに起因して算出する冷媒過冷却度が変化しなくなった場合は、次に説明する膨張弁パルステーブル３００を用いて、吹出温度の目標温度である目標吹出温度に基づいた外気処理機膨張弁５２ｂの開度調整に切り換える。尚、以降の説明では、目標冷媒過冷却度に基づいた外気処理機膨張弁５２ｂの開度調整を第１膨張弁制御、目標吹出温度に基づいた外気処理機膨張弁５２ｂの開度調整を第２膨張弁制御として記載する。
【００６５】
図２に示す膨張弁パルステーブル３００では、外気処理機５ｂで設定できる目標吹出温度（以降、目標吹出温度Ｔｔと記載する）に対し、外気処理機膨張弁５２ｂに加えるパルス数（以降、パルス数Ｐと記載する）が各々定められている。本実施形態では、一例として目標吹出温度Ｔｔが１７℃〜２８℃の範囲で設定できるものとし、パルス数Ｐは各目標吹出温度Ｔｔについて定められ、かつ、目標吹出温度Ｔｔが低くなるほど小さい値に定められている。
【００６６】
尚、膨張弁パルステーブル３００は、予め試験などを行って求められて、外気処理機５ｂの外気処理機制御手段５００ｂの記憶部５２０ｂに記憶されているものであり、暖房運転時に外気処理熱交換器５１ｂの熱交出口温度が変化しなくなったときに、この膨張弁パルステーブル３００に定められるパルス数Ｐを外気処理機膨張弁５２ｂに加えれば、加えたパルス数Ｐに対応する目標吹出温度Ｔｔを実現できることが判明しているものである。
【００６７】
＜暖房運転時の外気処理機膨張弁の制御について＞
次に、図３を用いて、本実施形態の空気調和装置１が暖房運転を行う際の、外気処理機５ｂの処理機膨張弁５２ｂの制御について説明する。図３において、ＳＴは処理のステップを表しこれに続く番号はステップの番号を表している。また、図３に示すフロ−チャートでは、前述した目標吹出温度Ｔｔやパルス数Ｐに加えて、吹出温度センサ６４ｂで検出する吹出温度をＴｄ、吸込温度センサ６３ｂで検出する吸込温度をＴｓ、液側温度センサ６１ｂで検出する暖房運転時の熱交出口温度をＴｈｏ、暖房運転時に凝縮器として機能する外気処理熱交換器５１ｂにおける凝縮温度をＴｃとする。尚、図３に示す処理以外の処理、例えば、各室内機５ａの暖房運転時の制御に関わる処理や、室外機２の暖房運転時の制御に関わる処理などについては、従来の空気調和装置と同じであるため、詳細な説明を省略する。
【００６８】
空気調和装置１が暖房運転を行っているとき、外気処理機５ｂの外気処理機制御手段５００ｂのＣＰＵ５１０ｂは、吹出温度Ｔｄ、吸込温度Ｔｓ、および、熱交出口温度Ｔｈｏを取り込む（ＳＴ１）。具体的には、ＣＰＵ５１０ｂは、吹出温度センサ６４ｂで検出した吹出温度Ｔｄ、吸込温度センサ６３ｂで検出した吸込温度Ｔｓ、および、液側温度センサ６１ｂで検出した熱交出口温度Ｔｈｏを定期的（例えば、３０秒毎）に取り込んで記憶部５２０ｂに時系列で記憶している。
【００６９】
次に、ＣＰＵ５１０ｂは、記憶部５２０ｂに記憶している目標吹出温度Ｔｔと凝縮温度Ｔｃとを読み出す（ＳＴ２）。目標吹出温度Ｔｔは、使用者が図示しないリモコンなどを用いて目標吹出温度Ｔｔを変更する度に、この新たな目標吹出温度Ｔｔが取り込まれて記憶部５２０ｂに上書き記憶される。また、凝縮温度Ｔｃは、室外機２において吐出圧力センサ３１で検出された吐出圧力が変化する度に、この変化した吐出圧力に基づいて算出され、通信部５３０ｂを介して取り込まれて記憶部５２０ｂに上書き記憶される。ＣＰＵ５１０ｂは、ＳＴ２の処理において、記憶部５２０ｂから最新の目標吹出温度Ｔｔと凝縮温度Ｔｃとを読み出す。
【００７０】
次に、ＣＰＵ５１０ｂは、ＳＴ１で取り込んだ吹出温度ＴｄとＳＴ２で読み出した目標吹出温度Ｔｔとを用いて、目標冷媒過冷却度を決定する。（ＳＴ３）。具体的には、ＣＰＵ５１０ｂは、目標吹出温度Ｔｔと吹出温度Ｔｄとの温度差に基づいて、目標冷媒過冷却度を決定する。
【００７１】
次に、ＣＰＵ５１０ｂは、ＳＴ１で取り込んだ熱交出口温度Ｔｈｏから吸込温度Ｔｓを減じた温度差ΔＴを算出する（ＳＴ４）。次に、ＣＰＵ５１０ｂは、算出した温度差ΔＴが−１℃以上１℃以下であるか否かを判断する（ＳＴ５）。
【００７２】
温度差ΔＴが−１℃以上１℃以下であれば（ＳＴ５−Ｙｅｓ）、ＣＰＵ５１０ｂは、温度差ΔＴが−１℃以上１℃以下となった回数を示すカウント数Ｋに１を加える（ＳＴ６）。尚、カウント数Ｋは、暖房運転開始時は０とされている。
【００７３】
次に、ＣＰＵ５１０ｂは、カウント数Ｋが３回以上となったか否かを判断する（ＳＴ７）。カウント数Ｋが３回以上となっていなければ（ＳＴ７−Ｎｏ）、ＣＰＵ５１０ｂは、ＳＴ１０に処理を進める。カウント数Ｋが３回以上となった場合（ＳＴ７−Ｙｅｓ）、つまり、熱交出口温度Ｔｈｏが吸込温度Ｔｓになじんで変化しなくなった場合は、ＣＰＵ５１０ｂは、第２膨張弁制御を実行し（ＳＴ８）、ＳＴ１に処理を戻す。第２膨張弁制御では、ＣＰＵ５１０ｂは、記憶部５２０ｂに記憶している膨張弁パルステーブル３００を参照し、ＳＴ２で読み出した目標吹出温度Ｔｔに応じたパルス数Ｐを、外気処理機膨張弁５２ｂに加える。
【００７４】
一方、ＳＴ５において、温度差ΔＴが−１℃以上１℃以下でなければ（ＳＴ５−Ｎｏ）、ＣＰＵ５１０ｂは、カウント数Ｋを０とし（ＳＴ９）、ＳＴ１で取り込んだ熱交出口温度ＴｈｏとＳＴ２で読み出した凝縮温度Ｔｃとを用いて、冷媒過冷却度を算出する（ＳＴ１０）。具体的には、ＣＰＵ５１０ｂは、凝縮温度Ｔｃから熱交出口温度Ｔｈｏを減じて、冷媒過冷却度を算出する。
【００７５】
そして、ＣＰＵ５１０ｂは、第１膨張弁制御を実行し（ＳＴ１１）、ＳＴ１に処理を戻す。第１膨張弁制御では、ＣＰＵ５１０ｂは、ＳＴ１０で算出した冷媒過冷却度とＳＴ３で決定した目標冷媒過冷却度との過冷却度差に応じたパルス数Ｐを、外気処理機膨張弁５２ｂに加える。
【００７６】
尚、ＳＴ７において、カウント数Ｋが３回以上となるということは、所定時間毎（本実施形態では、３０秒毎）にそれぞれ検出した熱交出口温度Ｔｈｏと吸込温度Ｔｓとの温度差が−１℃以上１℃以下である状態が、一定期間（本実施形態では、３０秒×３＝９０秒間）継続したこと、つまり、熱交出口温度Ｔｈｏが吸込温度Ｔｓに対してほとんど変化しなくなった、すなわち、外気処理熱交換器５１ｂに液冷媒が滞留していることを示す。ここで、上記一定時間は、予め試験などを行って求められて、外気処理機制御手段５００ｂの記憶部５２０ｂに記憶されているものであり、この一定時間の間熱交出口温度Ｔｈｏが変化しなければ、外気処理熱交換器５１ｂに液冷媒が滞留していることが判明している時間である。
【００７７】
以上説明したように、本実施形態の空気調和装置１では、熱交出口温度Ｔｈｏから吸込温度Ｔｓを減じた温度差ΔＴが−１℃以上１℃以下でない場合は、第１膨張弁制御を行って外気処理機膨張弁５２ｂの開度を目標冷媒過冷却度に基づいて調整し、温度差ΔＴが−１℃以上１℃以下である、つまり、熱交出口温度Ｔｈｏが吸込温度Ｔｓになじんで変化しなくなった場合は、第２膨張弁制御を行って外気処理機膨張弁５２ｂの開度を目標吹出温度Ｔｔに基づいて調整する。これにより、外気処理機５ｂで小さい暖房能力が要求された場合であっても、外気処理機膨張弁５２ｂの開度調整が適切に行えるので、要求される小さい暖房能力つまりは低い吹出温度Ｔｄが実現できる。
【００７８】
尚、以上説明した実施形態では、利用側膨張弁の開度が要求される小さい暖房能力に応じて小さくされることによって、利用側熱交換器の熱交出口温度が変化しなくなる利用側ユニットとして、外気処理機５ｂを例に挙げて説明した。しかし、本発明はこれに限られるものではなく、利用側ユニットが、小さい暖房能力を要求されたことに起因して利用側熱交換器の熱交出口温度が変化しなくなるような、室内機や他の機器であってもよい。
【符号の説明】
【００７９】
１  空気調和装置
２  室外機
５ａ  室内機
５ｂ  外気処理機
２１  圧縮機
３１  吐出圧力センサ
３２  吸入圧力センサ
５２ａ  室内機膨張弁
５２ｂ  外気処理機膨張弁
６３ａ  吸込温度センサ
６４ｂ  吸込温度センサ
６４ｂ  吹出温度センサ
２００  室外機制御手段
２１０  ＣＰＵ
２３０  通信部
２４０  センサ入力部
３００  膨張弁パルステーブル
５００ａ  室内機制御手段
５３０ａ  通信部
５４０ａ  センサ入力部
５００ｂ  外気処理機制御手段
５３０ｂ  通信部
５４０ｂ  センサ入力部
Ｐ  パルス数
ＳＣ  冷媒過冷却度
Ｔｃ  凝縮温度
Ｔｄ  吹出温度
Ｔｔ  目標吹出温度
Ｔｓ  吸込温度
Ｔｈｏ  熱交出口温度
【図１】
2019168117.tif 000003
【図２】
2019168117.tif 000004
【図３】
2019168117.tif 000005